【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
略棒状のシャンク部と、該シャンク部の一端側に位置して前記シャンク部と一体的に形成されたヘッド部とを備え、
前記ヘッド部は、スローアウェイチップを取付けるべく前記ヘッド部の先端側および一側方側に開口するように配設されたチップ取付部を有するとともに前記ヘッド部の先端側から後端側に向かって形成されたスリットにより上顎部と下顎部とに分割されており、
前記上顎部に形成された貫通穴に固定ボルトを挿入して前記下顎部に形成されたねじ穴に前記固定ボルトが螺合される溝入れ加工用ホルダであって、
前記チップ取付部では、スローアウェイチップの上方から押圧固定するための上クランプ面が前記上顎部に形成されるとともに、前記スローアウェイチップの載置面となる下クランプ面が前記下顎部に形成され、
前記スリットの末端における前記上顎部の厚みが、前記チップ取付部のある一側方よりも他側方が厚く形成され、かつ前記スローアウェイチップの下面と後端面とが前記下顎部に当接し、前記スローアウェイチップの上面が前記上顎部に当接するとともに、該下顎部と上顎部の前記スローアウェイチップの後端部が配設される付近にそれぞれ切り欠きが形成されていることを特徴とする溝入れ加工用ホルダ。
【請求項２】
略棒状のシャンク部と、該シャンク部の一端側に位置して前記シャンク部と一体的に形成されたヘッド部とを備え、
前記ヘッド部は、スローアウェイチップを取付けるべく前記ヘッド部の先端側および一側方側に開口するように配設されたチップ取付部を有するとともに前記ヘッド部の先端側から後端側に向かって形成されたスリットにより上顎部と下顎部とに分割されており、
前記上顎部に形成された貫通穴に固定ボルトを挿入して前記下顎部に形成されたねじ穴に前記固定ボルトが螺合される溝入れ加工用ホルダであって、
前記チップ取付部では、スローアウェイチップの上方から押圧固定するための上クランプ面が前記上顎部に形成されるとともに、前記スローアウェイチップの載置面となる下クランプ面が前記下顎部に形成され、
前記スリットの末端における前記上顎部の厚みが、前記チップ取付部のある一側方よりも他側方が厚く形成され、かつ前記固定ボルトが、上面視で前記スローアウェイチップの側面に接する位置に配設されている溝入れ加工用ホルダ。
【請求項３】
前記ヘッド部の先端部における前記上顎部の厚みが、前記チップ取付部のある一側方よりも他側方が厚く形成される請求項１または２記載の溝入れ加工用ホルダ。
【請求項４】
前記スリットの末端は、該スリットの幅よりも直径が大きな円弧状曲面である請求項１〜３のいずれかに記載の溝入れ加工用ホルダ。
【請求項５】
請求項１〜４のいずれかに記載の溝入れ加工用ホルダにおける前記チップ取付部に、切刃が前方または一側方に向かって突出するようにスローアウェイチップを装着したことを特徴とする切削工具。
【手続補正２】
【補正対象書類名】明細書
【補正対象項目名】０００９
【補正方法】変更
【補正の内容】
【０００９】
（１）略棒状のシャンク部と、該シャンク部の一端側に位置して前記シャンク部と一体的に形成されたヘッド部とを備え、前記ヘッド部は、スローアウェイチップを取付けるべく前記ヘッド部の先端側および一側方側に開口するように配設されたチップ取付部を有するとともに前記ヘッド部の先端側から後端側に向かって形成されたスリットにより上顎部と下顎部とに分割されており、前記上顎部に形成された貫通穴に固定ボルトを挿入して前記下顎部に形成されたねじ穴に前記固定ボルトが螺合される溝入れ加工用ホルダであって、前記チップ取付部では、スローアウェイチップの上方から押圧固定するための上クランプ面が前記上顎部に形成されるとともに、前記スローアウェイチップの載置面となる下クランプ面が前記下顎部に形成され、前記スリットの末端における前記上顎部の厚みが、前記チップ取付部のある一側方よりも他側方が厚く形成され、かつ前記スローアウェイチップの下面と後端面とが前記下顎部に当接し、前記スローアウェイチップの上面が前記上顎部に当接するとともに、該下顎部と上顎部の前記スローアウェイチップの後端部が配設される付近にそれぞれ切り欠きが形成され、かつ前記スローアウェイチップの下面と後端面とが前記下顎部に当接し、前記スローアウェイチップの上面が前記上顎部に当接するとともに、該下顎部と上顎部の前記スローアウェイチップの後端部が配設される付近にそれぞれ切り欠きが形成されていることを特徴とする溝入れ加工用ホルダ。
【手続補正３】
【補正対象書類名】明細書
【補正対象項目名】００１０
【補正方法】変更
【補正の内容】
【００１０】
（２）略棒状のシャンク部と、該シャンク部の一端側に位置して前記シャンク部と一体的に形成されたヘッド部とを備え、前記ヘッド部は、スローアウェイチップを取付けるべく前記ヘッド部の先端側および一側方側に開口するように配設されたチップ取付部を有するとともに前記ヘッド部の先端側から後端側に向かって形成されたスリットにより上顎部と下顎部とに分割されており、前記上顎部に形成された貫通穴に固定ボルトを挿入して前記下顎部に形成されたねじ穴に前記固定ボルトが螺合される溝入れ加工用ホルダであって、前記チップ取付部では、スローアウェイチップの上方から押圧固定するための上クランプ面が前記上顎部に形成されるとともに、前記スローアウェイチップの載置面となる下クランプ面が前記下顎部に形成され、前記スリットの末端における前記上顎部の厚みが、前記チップ取付部のある一側方よりも他側方が厚く形成され、かつ前記スローアウェイチップの下面と後端面とが前記下顎部に当接し、前記スローアウェイチップの上面が前記上顎部に当接するとともに、該下顎部と上顎部の前記スローアウェイチップの後端部が配設される付近にそれぞれ切り欠きが形成され、かつ前記固定ボルトが、上面視で前記スローアウェイチップの側面に接する位置に配設されている溝入れ加工用ホルダ。
（３）前記ヘッド部の先端部における前記上顎部の厚みが、前記チップ取付部のある一側方よりも他側方が厚く形成される前記（１）記載の溝入れ加工用ホルダ。
【手続補正４】
【補正対象書類名】明細書
【補正対象項目名】００１１
【補正方法】削除
【補正の内容】
【手続補正５】
【補正対象書類名】明細書
【補正対象項目名】００１８
【補正方法】変更
【補正の内容】
【００１８】
シャンク部２は略棒状であればよく、溝入れ加工用のホルダとして用いることができる形状であれば任意の形状が採用可能である。ちなみに、外径加工用であれば角柱状、内径加工用であれば略丸棒状が公知の形状である。チップ取付部３は、ヘッド部９の先端部で外周方向に向かって開口するように配設されている。これにより、このチップ取付部３にチップ１０を載置した切削工具２０は、金属材料の内径の溝入れに好適に用いることができる。そして、チップ取付部３では、チップ１０の上方から押圧固定するための上クランプ面が上顎部５に形成されるとともに、チップ１０の載置面となる下クランプ面が下顎部６に形成されている（図示せず）。そして、図３によれば、チップ１０の下面と後端面とが下顎部６に当接し、チップ１０の上面が上顎部５に当接するとともに、下顎部６と上顎部５のチップ１０の後端部が配設される付近にそれぞれ切り欠きが形成されている。
【手続補正６】
【補正対象書類名】明細書
【補正対象項目名】００２１
【補正方法】変更
【補正の内容】
【００２１】
固定ボルト７は、上顎部５の略中央に形成された貫通穴（図示せず）に挿入して下顎部６に形成されたねじ穴（図示せず）に螺合される。これにより、チップ１０の上面を押圧する上クランプ面を備えた上顎部５を固定ボルト７で締付け、チップ１０をチップ取付部３に固定することができる。図２（ａ）によれば、前記固定ボルトが、上面視で前記スローアウェイチップの側面に接する位置に配設されている。